(57)【要約】【課題】表面の表示面の面積を表示パネル前面の面積以上に広くすることができ、周縁側からの圧迫感を低減することができる表示装置を提供する。【解決手段】前側に画像が表示される表示パネル１の前側に、該表示パネル１よりも大きいガラス製の透光パネル２を貼付けにより積層し、該透光パネル２の周縁を覆う環体３と、表示パネル１の後側を覆うカバー８とを設け、環体３及びカバー８を、透光パネル２の周縁部後面に周方向に離隔して取付けられる複数の結合体９にて取付ける構成とし、前方から視認される前面の表示面の面積を表示パネル前面の面積以上に広くすることができるようにした。【選択図】図３
2011133829.tif 000002
【特許請求の範囲】
【請求項１】
表側に画像が表示される表示パネルを備える表示装置において、前記表示パネルの表側に積層されている透光パネルと、前記表示パネルの裏側を覆うカバーとを備えることを特徴とする表示装置。
【請求項２】
前記透光パネルの周縁を覆って該透光パネルの周縁部に取付けられている環体を備える請求項１記載の表示装置。
【請求項３】
前記透光パネルは前記表示パネルよりも大きく、該透光パネルの周縁部に前記カバーが取付けられている請求項１又は２記載の表示装置。
【請求項４】
前記環体は、内周面の一縁から中央側へ延出されている延出凸部を有し、該延出凸部が前記透光パネルに取付けられている請求項２又は３記載の表示装置。
【請求項５】
前記環体は、裏面に環状凹所を有し、前記カバーは前記環状凹所に嵌入される嵌入口部を有する請求項２から４のいずれか一つに記載の表示装置。
【請求項６】
前記透光パネルの周面と前記環体の内周面との間に隙間を有する請求項２から５のいずれか一つに記載の表示装置。
【請求項７】
前記隙間に可撓条体が嵌入されている請求項６記載の表示装置。
【請求項８】
前記環体は可撓性を有する材料からなる請求項２から７のいずれか一つに記載の表示装置。
【請求項９】
前記透光パネルの周縁部に、複数の結合体が周方向に離隔して固定され、該結合体に前記カバーが結合されている請求項１から８のいずれか一つに記載の表示装置。
【請求項１０】
前記結合体は、周方向へ離隔して配される複数の筒形ボスを有する請求項９記載の表示装置。
【請求項１１】
前記環体の外周部は、ラジアル方向外方へ先細になっている請求項２から８のいずれか一つに記載の表示装置。
【請求項１２】
前記環体は、複数の杆状部材を環状に配してなる請求項２から８のいずれか一つに記載の表示装置。
【請求項１３】
前記環体は、隣合う杆状部材夫々の端部を連結する連結体を有する請求項１２記載の表示装置。
【請求項１４】
前記透光パネルを支持するスタンドを備える請求項１から３のいずれか一つに記載の表示装置。
【請求項１５】
前記カバーは、前記透光パネルの周縁部に取付けられているカバー内分体と、該カバー内分体よりも大形であり、該カバー内分体に結合されるカバー外分体とを有する請求項１から３のいずれか一つに記載の表示装置。
【請求項１６】
前記表示パネルは、表側に画像が表示される表示パネル本体と、該表示パネル本体の周縁部を表裏から挾持してある二つの枠体とを有し、一方の枠体に前記透光パネルが結合されている請求項１から３のいずれか一つに記載の表示装置。
【発明の詳細な説明】
【技術分野】
【０００１】
本発明は液晶テレビジョン、プラズマテレビジョン等の表示装置に関する。
【背景技術】
【０００２】
液晶テレビジョンは、前側に表示面を有し略直方体をなす液晶パネルと、該液晶パネルの後側に配されている光源部と、液晶パネルの周縁部前側に配される額縁部を有し、液晶パネルの周縁部を覆うフロントキャビネットと、光源部の後側を覆うバックキャビネットとを備える（例えば、特許文献１参照）。
【０００３】
液晶パネルは、前側に表示面を有し略直方体をなす液晶パネル本体、及び該液晶パネル本体の周縁部を前後に挾持する二つの枠体を有するモジュールタイプと、前記フロントキャビネットが一つの枠体を兼ね、該フロントキャビネットの額縁部及び他の一つの枠体が前記液晶パネル本体の周縁部を前後に挾持する非モジュールタイプとがある。
【０００４】
また、液晶テレビジョンでなく、航空機のコックピットディスプレイ、カーナビゲーション等の設置型液晶表示装置には、一面に偏光板が接合されている２枚のガラス板間に液晶材料を封入してなる液晶パネルの一方の偏光板に、１枚のガラス板と同形の保護ガラスを貼付け、該保護ガラスが液晶パネルを保護するように構成された液晶表示装置が知られている（例えば、特許文献２参照）。
【０００５】
また、プラズマ表示装置は、画像が表示される表示面を有する装置本体部と、該装置本体部の表示面前方に結合された枠形ブラケットと、該枠形ブラケットの前方に、断面コ字形をなす杆状の二つの保持部材により保持された透光パネルと、装置本体部を覆い、前記枠形ブラケットに取付けられた本体用カバーとを備える表示装置が知られている（例えば、特許文献３参照）。透光パネルは枠形ブラケットと同形であり、該透光パネル及び枠形ブラケットの上下縁部に前記保持部材が嵌合されている。
【先行技術文献】
【特許文献】
【０００６】
【特許文献１】特開２００６−２１５５１２号公報
【特許文献２】特開２００６−１１３６０６号公報
【特許文献３】特開２００５−５５６４１号公報
【発明の概要】
【発明が解決しようとする課題】
【０００７】
ところが、特許文献１のように表示パネルの周縁部前側に額縁部が配されている液晶テレビジョンにあっては、額縁部が表示パネルの周縁部前側を隠蔽するため、前面の表示面積が狭くなるという問題があった。また、特許文献２のように保護ガラスが表示パネルと同形に形成されている液晶表示装置にあっては、保護ガラス及び表示パネルと同形に開設された開口を有するキャビネットの前記開口に嵌め込まれ、表示パネルの周縁よりも外側がキャビネットにて隠蔽されるため、表示パネル表面の面積以上に広い表示面にすることができなかったし、また、周縁側から圧迫感を受けることになる。また、特許文献３のように表示面を有する装置本体部の前側に枠形ブラケットが結合され、該枠形ブラケットの前側に透光パネルが結合されている表示装置にあっては、表示装置の前後の厚さが比較的厚くなり、表示装置の薄型化が制限されることになる。
【０００８】
本発明は斯かる事情に鑑みてなされたものであり、主たる目的は表面の表示面の面積を表示パネル表面の面積以上に広くすることができ、周縁側からの圧迫感を低減することができる表示装置を提供することにある。
【課題を解決するための手段】
【０００９】
本発明に係る表示装置は、表側に画像が表示される表示パネルを備える表示装置において、前記表示パネルの表側に積層されている透光パネルと、前記表示パネルの裏側を覆うカバーとを備えることを特徴とする。
【００１０】
この発明にあっては、画像が表示される表側に、外部からの光を透光することができる透光パネルが積層されており、該透光パネルの表面をフラットの表示面として視認させ得るから、表示パネルを大形にすることなく、視認される表面の表示面の面積を表示パネル表面の面積以上に広くすることができ、周縁側からの圧迫感を低減することができる。また、表示パネルの外力による割れを防ぐことができ、表示パネルの耐久性を高めることができる。
【００１１】
また、本発明に係る表示装置は、前記透光パネルの周縁を覆って該透光パネルの周縁部に取付けられている構成とするのが好ましい。
この発明にあっては、外部の光が透光パネルの周縁から該透光パネルに入光するのを防ぐことができ、表示パネルから透光パネルに入光された光が透光パネルの周縁から洩れるのを防ぐことができるため、視認される表示面の画像の鮮明度を高めることができる。
【００１２】
また、本発明に係る表示装置は、前記透光パネルは前記表示パネルよりも大きく、該透光パネルの周縁部に前記カバーが取付けられている構成とするのが好ましい。
この発明にあっては、表示面が視認されるとき、カバーの透光パネルへの取付部分を、透光パネルの周縁部にて隠蔽することができるため、カバーの透光パネルへの取付構造に影響されることなく、視認される表示面の面積を広くすることができる。
【００１３】
また、本発明に係る表示装置は、前記環体は、内周面の一縁から中央側へ延出されている延出凸部を有し、該延出凸部が前記透光パネルに取付けられている構成とするのが好ましい。
この発明にあっては、延出凸部を透光パネルの周縁部裏面に対向させた状態で延出凸部を透光パネルに取付けることができるため、環体の透光パネルへの取付強度を高めることができる。
【００１４】
また、本発明に係る表示装置は、前記環体は、裏面に環状凹所を有し、前記カバーは前記環状凹所に嵌入される嵌入口部を有する構成とするのが好ましい。
この発明にあっては、カバーの嵌入口部が環体の環状凹所に嵌入されているため、環体とカバーとの間の境界を分かり難くすることができ、品位を高めることができるとともに、環体及びカバー間の防塵性を高めることができる。
【００１５】
また、本発明に係る表示装置は、前記透光パネルの周面と前記環体の内周面との間に隙間を有する構成とするのが好ましい。
この発明にあっては、外部温度の変化により環体が熱収縮したり、又は表示パネルから伝熱される熱により透光パネルが熱膨張することがあっても、透光パネル及び環体に過負荷が加わるのを防ぐことができ、透光パネル及び環体の耐久性を高めることができる。
【００１６】
また、本発明に係る表示装置は、前記隙間に可撓条体が嵌入されている構成とするのが好ましい。
この発明にあっては、透光パネル及び環体間の隙間が可撓条体にて閉じられているため、品位を高めることができるとともに、外部温度の変化により環体が熱収縮したり、又は表示パネルから伝熱される熱により透光パネルが熱膨張したとき、隙間内の可撓条体を撓ませることができ、透光パネル及び環体に過負荷が加わるのを防ぐことができる。
【００１７】
また、本発明に係る表示装置は、前記環体は可撓性を有する材料からなる構成とするのが好ましい。
この発明にあっては、外部温度の変化により環体が熱収縮したり、又は表示パネルから伝熱される熱により透光パネルが熱膨張したとき、環体を撓ませることができるため、透光パネル及び環体間に隙間を殊更設ける必要がなく、品位を高めることができるとともに、可撓帯体をなくすることができ、コストを低減できる。
【００１８】
また、本発明に係る表示装置は、前記透光パネルの周縁部に、複数の結合体が周方向に離隔して固定され、該結合体に前記カバーが結合されている構成とするのが好ましい。
この発明にあっては、透光パネルに固定されている結合体にカバーが結合されているため、該カバーの透光パネルへの結合強度を高めることができる。
【００１９】
また、本発明に係る表示装置は、前記結合体は、周方向へ離隔して配される複数の筒形ボスを有する構成とするのが好ましい。
この発明にあっては、筒形ボスに螺入される雄螺子によりカバーを透光パネルに結合することができるため、カバーの取付け作業を簡易にできる。
【００２０】
また、本発明に係る表示装置は、前記環体の外周部は、ラジアル方向外方へ先細になっている構成とするのが好ましい。
この発明にあっては、最外周の形状が先細になるため、厚さが薄くなるように視認させることができ、薄型化されていることを認識させることができる。
【００２１】
また、本発明に係る表示装置は、前記環体は、複数の杆状部材を環状に配してなる構成とするのが好ましい。
この発明にあっては、表示パネルの大きさに関係なく、複数の杆状部材を環状に配することにより環体を形成することができるため、一体成形されている場合に比べて環体をコンパクトにできる。
【００２２】
また、本発明に係る表示装置は、前記環体は、隣合う杆状部材夫々の端部を連結する連結体を有する構成とするのが好ましい。
この発明にあっては、隣合う杆状部材夫々の端部が連結体により連結されているため、環体部分の防塵性を高めることができる。
【００２３】
また、本発明に係る表示装置は、前記透光パネルを支持するスタンドを備える構成とするのが好ましい。
この発明にあっては、表示パネル、環体、カバー及びスタンドを透光パネルが支持し、表示パネル、環体及びカバーの荷重を透光パネルに加え、該透光パネルをスタンドにより受止めることができるため、透光パネルがあたかも自立しているような先進のデザインにすることができる。
【００２４】
また、本発明に係る表示装置は、前記カバーは、前記透光パネルの周縁部に取付けられているカバー内分体と、該カバー内分体よりも大きく、該カバー内分体に結合されるカバー外分体とを有する構成と構成とするのが好ましい。
この発明にあっては、表示パネルを裏側から照射する光源等の部品をカバー内分体内に収容することができ、また、カバー外分体を透光パネルに直接取付ける必要がないため、カバーの透光パネルへの取付構造を簡素にでき、カバーの透光パネルへの取付作業性を高めることができる。
【００２５】
また、本発明に係る表示装置は、前記表示パネルは、表側に画像が表示される表示パネル本体と、該表示パネル本体の周縁部を表裏から挾持してある二つの枠体とを有し、一方の枠体に前記透光パネルが結合されている構成とするのが好ましい。
この発明にあっては、表示パネル本体の周縁部だけが透光パネルに結合されるため、透光パネルの結合を簡易にできる。また、表示パネル本体の周縁部を挾持する二つの枠体にて透光パネルを補強することができるため、全体の剛性を高めることができる。
【発明の効果】
【００２６】
本発明によれば、画像が表示される表側に、外部からの光を透光することができる透光パネルが積層されており、該透光パネルの表面をフラットの表示面として視認させ得るから、表示パネルを大きくすることなく、視認される表面の表示面の面積を表示パネル表面の面積以上に広くすることができる。また、表示パネルの外力による割れを防ぐことができ、表示パネルの耐久性を高めることができる。
【図面の簡単な説明】
【００２７】
【図１】本発明に係る表示装置の構成を示す模式的正面図である。
【図２】本発明に係る表示装置の構成を示す模式的背面図である。
【図３】本発明に係る表示装置の構成を示す拡大した横断平面図である。
【図４】本発明に係る表示装置の構成を示す拡大した縦断側面図である。
【図５】本発明に係る表示装置の結合体が結合された透光パネルの構成を示す背面図である。
【図６】本発明に係る表示装置の透光パネル、結合体及び環体の関係を示す模式的分解斜視図である。
【図７】本発明に係る表示装置の透光パネルに環体が取付けられている状態を示す模式的斜視図である。
【図８】本発明に係る表示装置の他の構成を示す拡大した横断平面図である。
【図９】本発明に係る表示装置の他の構成を示す拡大した縦断側面図である。
【図１０】本発明に係る表示装置の他の構成を示す一部を省略した縦断斜視図である。
【図１１】本発明に係る表示装置の他の構成を示す一部を省略した縦断斜視図である。
【図１２】本発明に係る表示装置の要部を拡大した縦断斜視図である。
【図１３】本発明に係る表示装置の他の構成を示す縦断斜視図である。
【図１４】本発明に係る表示装置の他の構成を示す縦断斜視図である。
【図１５】本発明に係る表示装置の他の構成を示す模式的正面図である。
【図１６】本発明に係る表示装置の他の構成を示す模式的正面図である。
【発明を実施するための形態】
【００２８】
以下本発明をその実施の形態を示す図面に基づいて詳述する。
実施の形態１
図１は本発明に係る表示装置の構成を示す模式的正面図、図２は表示装置の構成を示す模式的背面図、図３は表示装置の構成を示す拡大した横断平面図、図４は表示装置の構成を示す拡大した縦断側面図、図５は結合体が結合された透光パネルの構成を示す背面図、図６は透光パネル、結合体及び環体の関係を示す模式的分解斜視図、図７は透光パネルに環体が取付けられている状態を示す模式的斜視図である。
【００２９】
この表示装置は、前側にテレビ画像を表示する表示パネル１と、該表示パネル１の前面に貼付けにより積層されているガラス板製の透光パネル２と、該透光パネル２の周縁周りを覆う環体３と、表示パネル１の後側に配されている光源部４と、該光源部４及び表示パネル１の間に配されている拡散板５と、該拡散板５に積層されている光学シート６と、該光学シート６及び表示パネル１の間に配され、表示パネル１の周縁部後面と対向する枠体７と、光源部４の後側を覆うカバー８と、該カバー８の下部に装着されたスタンド１０とを備え、表示パネル１の前側に表示されるテレビ画像を透光パネル２の前方から視認することができるように構成された液晶表示装置である。
【００３０】
表示パネル１は略直方体をなし、前面及び後面にフィルム状の偏光板が接合されている。
【００３１】
透光パネル２は、表示パネル１よりも厚く、表示パネル１よりも大きい略直方体をなし、周縁部後面に、複数の結合体９が周方向に離隔して取付けられている。
【００３２】
結合体９は、図５及び図６に示すように略矩形又は略Ｌ字形をなし、透光パネル２の周縁に沿って四辺部に配される板部９１と、該板部９１に一端部がカシメ加工され、長さが短い第１の筒形ボス９２及び長さが長い第２の筒形ボス９３を有し、板部９１が両面テープ９４等の取付手段により透光パネル２の周縁部後面に取付けられ、筒形ボス９２，９３が後方へ向けて突出している。
【００３３】
結合体９は、略矩形をなす板部に第１の筒形ボス９２が設けられている第１の結合体９ａと、略矩形をなす板部９１に第２の筒形ボス９３が設けられている第２の結合体９ｂと、略Ｌ字形をなす板部９１に第１の筒形ボス９２が設けられている第３の結合体９ｃとを有し、第１の結合体９ａは、透光パネル２における下辺部の長さ方向中央側に配され、第２の結合体９ｂは、透光パネル２における上辺部の中央側及び両側辺部の長さ方向中央側に配され、第３の結合体９ｃは、透光パネル２の四つの隅部に配されている。
【００３４】
環体３は、透光パネル２の周面とラジアル方向へ離隔して対向し、略直方形をなす覆環部３１と、該覆環部３１の後側から中央側へ延出され、透光パネル２の周縁部後面に対向し、雄螺子３０にて結合体９に取付けられる延出凸部３２と、覆環部３１及び延出凸部３２からラジアル方向外方へ先細に突出する先細突部３３とを有する合成樹脂製であり、覆環部３１が透光パネル２の周面と離隔して対向することにより、透光パネル２周面と覆環部３１との間に環状の隙間ａができるようになしてある。
【００３５】
隙間ａは、外部温度の変化により合成樹脂製の環体３が熱収縮したとき、覆環部３１が透光パネル２周面に当接しない寸法としてある。
【００３６】
覆環部３１は、透光パネル２の厚さとほぼ等厚に形成され、透光パネル２前面からの突出量がないか、または少ないようになしてある。
【００３７】
延出凸部３２は環状をなし、周方向へ離隔した複数の位置には、結合体９の第１の筒形ボス９２が挿入される貫通孔３２ａが開設され、板部９１に受止められている状態で筒形ボス９２に螺入される雄螺子３０にて結合体９に取付けられるようになしてある。また、延出凸部３２には、複数の周方向位置から中央側へ延出された突片３２ｂが設けられ、該突片３２ｂが、隣合う結合体９の間に配され、隣合う結合体９の間の隙間を低減するようになしてある。
【００３８】
先細突部３３は、環体３の前縁及び後縁から厚さ方向中央に向けて先細に突出する断面略Ｖ字形をなし、環体３の周縁部が視認されたとき、該環体３の厚さが薄く見えるようになしてある。先細突部３３の元側後面には、前方へ窪む環状凹所３４及び保持溝３５が全周に亘って設けられ、環状凹所３４に、カバー８の嵌入口部が後方から嵌入され、防塵性を高めてある。
【００３９】
カバー８は、透光パネル２の周縁部後側に取付けられ、光源部４の後側を覆う略直方形の浅皿形をなすカバー内分体８ａと、該カバー内分体８ａよりも大形であり、該カバー内分体８ａに結合され、カバー内分体８ａを覆う略直方形の深皿形をなすカバー外分体８ｂとを有する。
【００４０】
カバー内分体８ａは、金属板を成形してなり、透光パネル２よりも若干小さく形成されている。カバー内分体８ａ内には、反射シート４１が載置され、該反射シート４１に導光板４２が複数列に載置されている。カバー内分体８ａの後面には、電源回路基板等の複数の回路基板２０が取付けられている。
【００４１】
カバー内分体８ａ内の横方向両側部には短冊形をなす発光ダイオード基板４３が上下に長くなるように載置され、該発光ダイオード基板４３に実装されている発光ダイオード４４が導光板４２の一端及び他端と対向している。また、外周部の第２の筒形ボス９３と対向する位置には挿通孔８１が開設され、該挿通孔８１周りが枠体７の一部を介して筒形ボス９３の先端に対向し、挿通孔８１から筒形ボス９３内に螺入される雄螺子８２にて透光パネル２に結合されるようになしてある。また、外周部の挿通孔８１と偏倚した位置には、嵌入孔８３ａを有する凸形結合部８３が一体成形され、該凸形結合部８３にカバー外分体８ｂが取外し可能に結合されている。
【００４２】
カバー外分体８ｂは、前方へ開放された嵌入口部８４を有し、該嵌入口部８４が環状凹所３４に嵌入されている。また、カバー内分体８ａの凸形結合部８３と対向する複数の筒形ボス８５が突設され、該筒形ボス８５から凸形結合部８３の嵌入孔８３ａに螺入される雄螺子８６にてカバー内分体８ａに結合されている。
【００４３】
光源部４は、短冊形をなしカバー内分体８ａ内に上下に複数列に配された導光板４２と、該導光板４２の後側に配された反射シート４１と、導光板４２の両端側に上下一列に配された光源としての複数の発光ダイオード４４と、短冊形をなし導光板４２の両端側に配される発光ダイオード４４を一面に実装してある発光ダイオード基板４３とを備える。
【００４４】
導光板４２は、アクリル樹脂、ポリカーボネート樹脂等の合成樹脂材を押出し成形してなる長尺材を所定の長さに切断することにより形成されており、両端に入光側面を配し、厚さ方向一面に出光面を配してあり、長手方向両端側がカバー内分体８ａに保持されている。
【００４５】
枠体７は、表示パネル１の周縁部後面に対向する矩形の環状板部７１及び該環状板部７１の外周縁側で、第２の筒形ボス９３に対向する位置に突設された嵌合筒部７２を有する合成樹脂製である。環状板部７１の内縁側前面には、表示パネル１の周縁部に接触する防塵帯７３が接着剤により貼付けられており、内縁側後面には、光学シート６の周縁部に接触する防塵帯７４が接着剤により貼付けられている。嵌合筒部７２には、筒形ボス９３が嵌入される大径孔及び該大径孔と段部７２ａを経て連なる小径孔を有し、筒形ボス９３の先端が段部７２ａに当接し、枠体７を受止めている。
【００４６】
光学シート６は、導光板４２にて拡散された光を偏光する反射偏光シート、プリズムシート、拡散シート等の比較的薄肉で、透光性及び可撓性を有する合成樹脂シートからなり、表示パネル１に対応して略矩形に形成されている。
【００４７】
スタンド１０は、カバー内分体８ａの下部後面で、横方向中央部に複数本の雄螺子にて取付けられ、透光パネルの下縁よりも下方へ突出している支柱と、該支柱の下端に結合されているベースとを有する。カバー外分体８ｂの前記支柱と対向する部分には、後方へ窪む凹所が設けられている。
【００４８】
以上のように構成された液晶表示装置の組立ては例えば次の(1) 〜(9) の工程で行う。
(1) 作業台上に開放側を上向にして平置きされたカバー内分体８ａ内の両側部に発光ダイオード基板４３，４３が載置され、カバー内分体８ａ内の発光ダイオード基板４３，４３間に反射シート４１が載置され、反射シート４１に複数の導光板４２が載置され、該導光板４２の両端側が固定される。
(2) 前側に透光パネル２が貼付られている表示パネル１及び透光パネル２が、該透光パネル２が下側となるように作業台上に平置きされ、該透光パネル２の周縁部後面に複数の結合体９（第１乃至第３の結合体９ａ，９ｂ，９ｃ）が両面テープ９４等の取付手段により取付けられる。
(3) 表示パネル１上に枠体７が載置される。この際、筒形ボス９３が嵌合筒部７２に嵌入され、該筒形ボス９３の先端が嵌合筒部７２内の段部７２ａに当接し、枠体７が筒形ボス９３にて受止められる。
(4) 透光パネル２の周縁部後面に環体３が載置され、該環体３における延出凸部３２の貫通孔３２ａに第３の結合体９ｃの筒形ボス９２が嵌入され、該筒形ボス９２内に雄螺子３０が螺入され、環体３が透光パネル２に取付けられる。
(5) 枠体７の環状板部７１上に光学シート６が載置され、該光学シート６上に拡散板５が載置される。
(6) 導光板４２が下側となるようにカバー内分体８ａが反転され、この反転状態でカバー内分体８ａが拡散板５の上側に載置される。この際、嵌合筒部７２の先端がカバー内分体８ａの挿通孔８１周りに当接し、受止められる。
(7) カバー内分体８ａの挿通孔８１から結合体９における筒形ボス９３の小径孔に雄螺子８２が螺入され、カバー内分体８ａが透光パネル２に結合される。
(8) カバー内分体８ａの後面に複数の回路基板２０が取付けられ、カバー内分体８ａの下部後面にスタンド１０が取付けられる。
(9) カバー内分体８ａの上側からカバー外分体８ｂが被嵌され、カバー外分体８ｂの嵌入口部８４が環状凹所３４に嵌入され、カバー外分体８ｂにおける筒形ボス８５の先端が、カバー内分体８ａの凸形結合部８３に当接し、筒形ボス８５から凸形結合部８３の嵌入孔８３ａに雄螺子８６が螺入され、カバー外分体８ｂがカバー内分体８ａに結合される。
【００４９】
以上のように構成された表示装置は、表示パネル１の前側に積層されている透光パネル２の表面をフラットの表示面として視認させることができるから、表示パネル１を大形にすることなく、視認される前側の表示面の面積を表示パネル表面の面積以上に広くすることができ、ラジアル方向外方へ広がる開放感を高めることができる。
【００５０】
また、透光パネル２の周縁部後面にカバー内分体８ａが取付けられ、該カバー内分体８ａにカバー外分体８ｂが結合されており、カバー８の透光パネル２への取付部分を、透光パネル２の周縁部にて隠蔽することができるため、カバー８の透光パネル２への取付構造に影響されることなく、前方から視認される表示面の面積を広くすることができる。
【００５１】
また、合成樹脂製の環体３は、外部温度の変化により熱膨張、熱収縮することになるが、透光パネル２の周面と環体３の内周面との間に隙間ａが設けられているため、環体３の熱収縮を隙間ａにて吸収することができ、環体３の内周面が透光パネル２の周縁に当接するのをなくすることができる。
【００５２】
実施の形態２
図８は本発明に係る表示装置の他の構成を示す拡大した横断平面図、図９は表示装置の他の構成を示す拡大した縦断側面図、図１０及び図１１は表示装置の他の構成を示す一部を省略した縦断斜視図、図１２は要部を拡大した縦断斜視図である。
【００５３】
この表示装置は、前側にテレビ画像を表示する表示パネル１と、該表示パネル１の前面に貼付けにより積層されているガラス板製の透光パネル２と、該透光パネル２の周縁周りを覆う環体３と、表示パネル１の後側に配されている光源部４と、該光源部４及び表示パネル１の間に配されている拡散板５と、該拡散板５に積層されている光学シート６と、光源部４の後側を覆うカバー８と、該カバー８の下部に装着された前記スタンド１０とを備え、表示パネル１の前側に表示されるテレビ画像を透光パネル２の前方から視認することができるように構成された液晶表示装置である。
【００５４】
表示パネル１は略直方体をなし、前面及び後面にフィルム状の偏光板が接合されている表示パネル本体１１と、該表示パネル本体１１の周縁部を前後に挾持する二つの枠体１２，１３とを有し、二つの枠体１２，１３の周方向複数位置が結合され、パネルモジュールに構成されている。
【００５５】
表示パネル本体１１の周縁部前側に配される一方の枠体１２は、矩形の板状をなす環状板部及び該環状板部の外周縁から後方へ延出された枠部を有し、金属板を成形してなる。環状板部は外縁側が内縁側よりも厚さ方向に偏倚し、内縁側の後面に、表示パネル本体１１の周縁部前面に接触する防塵帯１４が接着剤により貼付けられている。また、環状板部の外縁側の周方向へ離隔した複数の位置には、後記する結合体９の筒形ボス９３が嵌入される貫通孔が開設されている。
【００５６】
表示パネル本体１１の周縁部後側に配される他方の枠体１３は、矩形の板状をなす環状板部１３ａ及び該環状板部１３ａの外周縁側で、筒形ボス９３に対向する位置に突設された複数の嵌合筒部１３ｂを有し、合成樹脂材にて成形されている。環状板部１３ａの内縁側前面には、表示パネル本体１１の周縁部後面に接触する防塵帯１５が接着剤により貼付けられている。嵌合筒部１３ｂは、筒形ボス９３が嵌入される大径孔及び該大径孔と段部１３ｃを経て連なる小径孔を有し、筒形ボス９３の先端が段部１３ｃに当接し、枠体１３を受止めている。また、嵌合筒部１３ｂは前方へ延出された延出筒部を有し、該延出筒部が枠体１２の前記貫通孔に嵌入されている。
【００５７】
透光パネル２は、表示パネル本体１１よりも厚く、表示パネル１よりも大きい略直方体をなし、周縁部後面に、複数の結合体９が周方向に離隔して取付けられている。
【００５８】
結合体９は、図５及び図６と同じく略矩形又は略Ｌ字形をなし、透光パネル２の周縁に沿って四辺部に配される板部９１と、該板部９１に一端部がカシメ加工され、長さが短い第１の筒形ボス９２及び長さが長い第２の筒形ボス９３を有し、板部９１が両面テープ９４等の取付手段により透光パネル２の周縁部後面に取付けられ、筒形ボス９２，９３が後方へ向けて突出している。
【００５９】
結合体９は、略矩形をなす板部に第１の筒形ボス９２が設けられている第１の結合体９ａと、略矩形をなす板部９１に第２の筒形ボス９３が設けられている端第２の結合体９ｂと、略Ｌ字形をなす板部９１に第１の筒形ボス９２が設けられている第３の結合体９ｃとを有し、第１の結合体９ａは、透光パネル２における下辺部の長さ方向中央側に配され、第２の結合体９ｂは、透光パネル２における上辺部の中央側及び両側辺部の長さ方向中央側に配され、第３の結合体９ｃは、透光パネル２の四つの隅部に配されている。
【００６０】
環体３は、透光パネル２の周面とラジアル方向へ離隔して対向し、略直方形をなす覆環部３１と、該覆環部３１の後側から中央側へ延出され、透光パネル２の周縁部後面に対向し、雄螺子３０にて結合体９に取付けられる延出凸部３２と、覆環部３１及び延出凸部３２からラジアル方向外方へ先細に突出する先細突部３３とを有する合成樹脂製であり、覆環部３１が透光パネル２の周面と離隔して対向することにより、透光パネル２周面と覆環部３１との間に環状の隙間ａができるようになしてある。
【００６１】
隙間ａは、外部温度の変化により合成樹脂製の環体３が熱収縮したとき、覆環部３１が透光パネル２周面に当接しない寸法としてある。
【００６２】
覆環部３１は、透光パネル２の厚さとほぼ等厚に形成され、透光パネル２前面からの突出量がないか、または少ないようになしてある。
【００６３】
延出凸部３２は環状をなし、周方向へ離隔した複数の位置には、結合体９の第１の筒形ボス９２が挿入される貫通孔３２ａが開設され、板部９１に受止められている状態で筒形ボス９２に螺入される雄螺子３０にて結合体９に取付けられるようになしてある。また、延出凸部３２には、複数の周方向位置から中央側へ延出された突片３２ｂが設けられ、該突片３２ｂが、隣合う結合体９の間に配され、隣合う結合体９の間の隙間を低減するようになしてある。
【００６４】
先細突部３３は、環体３の前縁及び後縁から厚さ方向中央に向けて先細に突出する断面略Ｖ字形をなし、環体３の周縁部が視認されたとき、該環体３の厚さが薄く見えるようになしてある。先細突部３３の元側後面には、前方へ窪む環状凹所３４及び保持溝３５が全周に亘って設けられ、環状凹所３４に、カバー８の嵌入口部が後方から嵌入され、防塵性を高めてある。また、保持溝３５には断面略Ｌ字形をなす杆状の補強部材３６が保持されている。
【００６５】
カバー８は、透光パネル２の周縁部後側に取付けられ、光源部４の後側を覆う略直方形の浅皿形をなすカバー内分体８ａと、該カバー内分体８ａよりも大きく、該カバー内分体８ａに結合され、カバー内分体８ａを覆う略直方形の深皿形をなすカバー外分体８ｂとを有する。
【００６６】
カバー内分体８ａは、金属板を成形してなり、透光パネル２よりも若干小さく形成されている。カバー内分体８ａ内には、反射シート４１が載置され、該反射シート４１に導光板４２が複数列に載置されている。カバー内分体８ａの後面には、電源回路基板等の複数の回路基板２０が取付けられている。
【００６７】
カバー内分体８ａ内の横方向両側部には短冊形をなす発光ダイオード基板４３が上下に長くなるように載置され、該発光ダイオード基板４３に実装されている発光ダイオード４４が導光板４２の一端及び他端と対向している。また、外周部の第２の筒形ボス９３と対向する位置には挿通孔８１が開設され、該挿通孔８１周りが枠体７の一部を介して筒形ボス９３の先端に対向し、挿通孔８１から筒形ボス９３内に螺入される雄螺子８２にて透光パネル２に結合されるようになしてある。また、外周部の挿通孔８１と偏倚した位置には、嵌入孔８３ａを有する凸形結合部８３が一体成形され、該凸形結合部８３にカバー外分体８ｂが取外し可能に結合されている。
【００６８】
カバー外分体８ｂは、前方へ開放された嵌入口部８４を有し、該嵌入口部８４が環状凹所３４に嵌入されている。また、カバー内分体８ａの凸形結合部８３と対向する複数の筒形ボス８５が突設され、該筒形ボス８５から凸形結合部８３の嵌入孔８３ａに螺入される雄螺子８６にてカバー内分体８ａに結合されている。
【００６９】
光源部４は、短冊形をなしカバー内分体８ａ内に上下に複数列に配された導光板４２と、該導光板４２の後側に配された反射シート４１と、導光板４２の両端側に上下一列に配された光源としての複数の発光ダイオード４４と、短冊形をなし導光板４２の両端側に配される発光ダイオード４４を一面に実装してある発光ダイオード基板４３とを備える。
【００７０】
導光板４２は、アクリル樹脂、ポリカーボネート樹脂等の合成樹脂材を押出し成形してなる長尺材を所定の長さに切断することにより形成されており、両端に入光側面を配し、厚さ方向一面に出光面を配してあり、長手方向両端側がカバー内分体８ａに保持されている。
【００７１】
光学シート６は、導光板４２にて拡散された光を偏光する反射偏光シート、プリズムシート、拡散シート等の比較的薄肉で、透光性及び可撓性を有する合成樹脂シートからなり、表示パネル１に対応して略矩形に形成されている。
前記スタンド１０は、実施の形態１と同様に構成されているため、その説明を省略する。
【００７２】
以上のように構成された液晶表示装置の組立ては例えば次の(1) 〜(8) の工程で行う。
(1) 作業台上に開放側を上向にして平置きされたカバー内分体８ａ内の両側部に発光ダイオード基板４３が載置され、カバー内分体８ａ内の発光ダイオード基板４３，４３間に反射シート４１が載置され、反射シート４１に複数の導光板４２が載置され、該導光板４２の両端側が固定される。
(2) 透光パネル２が作業台上に平置きされ、該透光パネル２の周縁部後面に複数の結合体９（第１乃至第３の結合体９ａ，９ｂ，９ｃ）が両面テープ９４等の取付手段により取付けられる。
(3) 表示パネル本体１１及び該表示パネル本体１１の周縁部を前後に挾持してある二つの枠体１２，１３を有する表示パネル１が、前側の枠体１２が下向きとなるように透光パネル２上に載置される。この際、筒形ボス９３が枠体１２の貫通孔及び枠体１３の嵌合筒部１３ｂに嵌入され、該筒形ボス９３の先端が嵌合筒部１３ｂ内の段部１３ｃに当接し、後側の枠体１３が筒形ボス９３にて受止められ、前側の枠体１２が結合体９の板部９１にて受止められる。
(4) 透光パネル２の周縁部後面に環体３が載置され、該環体３における延出凸部３２の貫通孔３２ａに第３の結合体９ｃの筒形ボス９２が嵌入され、該筒形ボス９２内に雄螺子３０が螺入され、環体３が透光パネル２に取付けられる。
(5) 表示パネル１の後側の枠体１３上に光学シート６が載置され、該光学シート６上に拡散板５が載置される。
(6) 導光板４２が下側となるようにカバー内分体８ａが反転され、この反転状態でカバー内分体８ａが拡散板５の上側に載置される。この際、嵌合筒部７２の先端がカバー内分体８ａの挿通孔８１周りに当接し、受止められる。
(7) カバー内分体８ａの挿通孔８１から結合体９における筒形ボス９３の小径孔に雄螺子８２が螺入され、カバー内分体８ａが透光パネル２に結合される。
(8) カバー内分体８ａの上側からカバー外分体８ｂが被嵌され、カバー外分体８ｂの嵌入口部８４が環状凹所３４に嵌入され、カバー外分体８ｂにおける筒形ボス８５の先端が、カバー内分体８ａの凸形結合部８３に当接し、筒形ボス８５から凸形結合部８３の嵌入孔８３ａに雄螺子８６が螺入され、カバー外分体８ｂがカバー内分体８ａに結合される。
【００７３】
以上のように構成された表示装置は、表示パネル１の前側に積層されている透光パネル２の表面をフラットの表示面として視認させることができるから、表示パネル１を大形にすることなく、視認される前側の表示面の面積を表示パネル表面の面積以上に広くすることができ、ラジアル方向外方へ広がる開放感を高めることができる。
【００７４】
また、透光パネル２の周縁部後面にカバー内分体８ａが取付けられ、該カバー内分体８ａにカバー外分体８ｂが結合されており、カバー８の透光パネル２への取付部分を、透光パネル２の周縁部にて隠蔽することができるため、カバー８の透光パネル２への取付構造に影響されることなく、前方から視認される表示面の面積を広くすることができる。
【００７５】
また、合成樹脂製の環体３は、外部温度の変化により熱膨張、熱収縮することになるが、透光パネル２の周面と環体３の内周面との間に隙間ａが設けられているため、環体３の熱収縮を隙間ａにて吸収することができ、環体３の内周面が透光パネル２の周縁に当接するのをなくすることができる。
【００７６】
実施の形態３
図１３は表示装置の他の構成を示す縦断斜視図である。この表示装置は、透光パネル２の周面と環体３の内周面との間に環状の隙間ａを設け、該隙間ａに可撓条体２１を嵌入し、隙間ａを閉じたものである。
【００７７】
可撓条体２１は、柔軟性を有する帯状部材又は紐状部材である他、柔軟性を有する材料が隙間ａに嵌入され、該隙間ａ内で可撓の条体となるようになしてもよい。また、可撓条体２１は透光パネル２の周面又は環体３の内周面に予め結合されてもよい。
【００７８】
この構成にあっては、可撓条体２１にて隙間ａが閉じられているため、透光パネル２の前方から視認されたときの品位を高めることができ、また、環体３の熱収縮を可撓条体２１にて吸収することができ、環体３の内周面が透光パネル２の周縁に当接するのをなくすることができる。
その他の構成及び作用は実施の形態１、２と同様であるため、同様の部品については同じ符号を付し、その詳細な説明及び作用効果の説明を省略する。
【００７９】
実施の形態４
図１４は表示装置の他の構成を示す縦断斜視図である。この表示装置は、柔軟性を有する合成樹脂、ゴム等により環体３を形成し、前記隙間ａを殊更設けることなく、透光パネル２の周面と環体３の内周面とを密着させ得るようになしたものである。
【００８０】
この構成にあっては、外部温度の変化により環体３が熱収縮したときの熱収縮力が透光パネル２の周面に加わり、該熱収縮力の反力にて環体３自体が撓むことになるため、透光パネル２に加わる力を低減できる。また、前記隙間ａがないため、透光パネル２の前方から視認されたときの品位を高めることができる。
その他の構成及び作用は実施の形態１、２と同様であるため、同様の部品については同じ符号を付し、その詳細な説明及び作用効果の説明を省略する。
【００８１】
実施の形態５
図１５は表示装置の他の構成を示す模式的正面図である。この表示装置は、透光パネル２の周縁を覆う環体３が一体成形されている構成とする代わりに、略直方体に形成される透光パネル２の四辺部に配される四つの杆状部材３ａにより環状の環体３を構成することができるようになしたものである。
【００８２】
四つの杆状部材３ａは結合体９、両面テープ等の取付手段にて透光パネル２の周縁部後面、又は透光パネル２の周面に固定され、隣合う杆状部材３ａの両端部は互いに当接し、四角形の環状をなす。
その他の構成及び作用は実施の形態１乃至４と同様であるため、同様の部品については同じ符号を付し、その詳細な説明及び作用効果の説明を省略する。
【００８３】
実施の形態６
図１６は表示装置の他の構成を示す模式的正面図である。この表示装置は、略直方体に形成される透光パネル２の四辺部に配される四つの杆状部材３ａのうち、隣合う杆状部材３ａ夫々の端部を連結体３ｂにて連結し、環状の環体３を構成したものである。
【００８４】
四つの杆状部材３ａは、連結体３ｂにて環状に連結された状態で結合体９、両面テープ等の取付手段にて透光パネル２の周縁部後面、又は透光パネル２の周面に結合されるか、若しくは、透光パネル２の周縁部後面、又は透光パネル２の周面に四つの杆状部材３ａが結合体９、両面テープ等の取付手段にて取付けられた後、隣合う杆状部材３ａ夫々の端部が連結体３ｂにて連結される。
その他の構成及び作用は実施の形態１乃至５と同様であるため、同様の部品については同じ符号を付し、その詳細な説明及び作用効果の説明を省略する。
【００８５】
尚、以上説明した実施の形態１の表示パネル１は、前面のほぼ全べて面が接着剤にて透光パネル２に接合されているが、その他、表示パネル１の前面の外周部だけが接着剤にて透光パネル２に接合される構成としてもよいし、また、表示パネル１の前面の一部だけが接着剤にて透光パネル２に接合される構成としてもよいし、また、接着剤でなく、両面テープにて貼付られる構成としてもよく、表示パネル１の積層手段は特に制限されない。
【００８６】
また、以上説明した実施の形態２の表示パネル１は、表示パネル本体１１の周縁部を前後に挾持する枠体１２，１３が結合体９に結合されることにより表示パネル１が透光パネル２に積層される構成としたが、その他、表示パネル本体１１の周縁部前側に配される枠体１２が接着剤、両面テープ等の結合手段にて透光パネル２に結合される構成としてもよく、表示パネル１の積層手段は特に制限されない。
【００８７】
また、以上説明した実施の形態１乃至４の環体３は、透光パネル２の周縁部後面に結合体９にて取付けられる構成としたが、その他、環体３は両面テープ、接着剤等の取付手段にて透光パネル２の周縁部後面又は透光パネル２の周面に取付けられる構成としてもよい。また、環体３は、覆環部３１、延出凸部３２及び先細突部３３を有する構成である他、覆環部３１だけを有し、該覆環部３１が両面テープ、接着剤等の取付手段にて透光パネル２の周面に取付けられる構成としてもよいし、また、覆環部３１及び延出凸部３２を有し、延出凸部３２が両面テープ、接着剤等の取付手段にて透光パネル２の周縁部後面に取付けられる構成としてもよく、環体３の構成は特に制限されない。
【００８８】
また、以上説明した実施の形態６の環体３は、略直方体に形成される透光パネル２の四辺部に配される四つの杆状部材３ａを備える構成としたが、その他、杆状部材３ａは、略コ字形をなす二つの杆状部材３ａを連結体３ｂが連結して環状をなすように構成してもよいし、また、略直方体に形成される透光パネル２の一辺部に二つ以上の杆状部材３ａを配し、連結体３ｂにて環状となるように連結する構成としてもよく、杆状部材３ａの個数及び杆状部材３ａを連結する連結体３ｂが配される位置は特に制限されない。
【００８９】
また、以上説明した実施の形態６の連結体３ｂは、非柔軟性の合成樹脂材等により形成されるが、その他、柔軟性を有する材料にて連結体３ｂを形成してもよい。この場合、外部温度の変化により環体３が熱収縮するとき、連結体３ｂを伸長させることができるため、透光パネル２の周面と杆状部材３ａとを密着させることができ、透光パネル２の前方から視認されたときの品位を高めることができる。
【００９０】
また、以上説明した実施の形態のカバー８は、透光パネル２の周縁部後面に取付けられるカバー内分体８ａ、及び該カバー内分体８ａに結合されるカバー外分体８ｂを有する構成としたが、その他、カバー外分体８ｂからなるカバーが透光パネル２の周縁部後面に取付けられる構成としてもよい。この場合、前記カバー内分体８ａは光源部４を支持する支持体となる。
【００９１】
また、以上説明した実施の形態では、ガラス製の透光パネル２としたが、その他、透光パネル２は、透光性を有する合成樹脂製であってもよい。
【００９２】
また、以上説明した実施の形態では、表示パネル１の後側に配される光源部４が、導光板４２及び該導光板４２の側面側に配される光源としての発光ダイオード４４を有する構成としたが、その他、光源は冷陰極管等のランプであってもよい。また、光源部４は、導光板４２の側面側に光源が配されるエッジ型バックライトである他、表示パネル１の後方直下に発光ダイオード、冷陰極管等のランプからなる光源が配される直下型バックライトであってもよく、光源部４の構成は特に制限されない。また、エッジ型バックライトの導光板４２は、短冊形をなす複数が並置される構成である他、表示パネル１に対応する大きさの一枚が配される構成であってもよい。
【００９３】
また、本発明に係る表示装置は液晶テレビジョン等の液晶表示装置である他、プラズマ表示装置、ＳＥＤディスプレイ等の表示装置であってもよい。
【符号の説明】
【００９４】
１    表示パネル
１１  表示パネル本体
１２，１３  枠体
２    透光パネル
２１  可撓条体
３    環体
３ａ  杆状部材
３ｂ  連結体
３２  延出凸部
３４  環状凹所
８    カバー
８ａ  カバー内分体
８ｂ  カバー外分体
８４  嵌入口部
９    結合体
９１  筒形ボス
１０  スタンド
ａ    隙間
【図１】
2011133829.tif 000003
【図２】
2011133829.tif 000004
【図３】
2011133829.tif 000005
【図４】
2011133829.tif 000006
【図５】
2011133829.tif 000007
【図６】
2011133829.tif 000008
【図７】
2011133829.tif 000009
【図８】
2011133829.tif 000010
【図９】
2011133829.tif 000011
【図１０】
2011133829.tif 000012
【図１１】
2011133829.tif 000013
【図１２】
2011133829.tif 000014
【図１３】
2011133829.tif 000015
【図１４】
2011133829.tif 000016
【図１５】
2011133829.tif 000017
【図１６】
2011133829.tif 000018